(57)【要約】      （修正有）【課題】建物の高さや斜線に関する制限が厳しい場合でも、コンパクトな外観の中に立体的な拡がり感や開放感のある居室空間を実現するのに適した木質造の建物架構を提供する。【解決手段】切妻屋根１２の直下階の床構面３３上に立設された棟持ち柱１７によって棟１１（棟木）を直接、支持することにより、正面視五角形の建物架構を安定的に構成するとともに、該直下階の上方に小屋梁等の下弦材が横断しない無梁空間を実現する。また、妻面１３の棟持ち柱１７と、その両側に立設した妻面副柱１９との間に、棟１１近傍まで連続的に延びる背の高い窓５１を設けることが可能になる。【選択図】図１０
2017106220.tif 000002
【特許請求の範囲】
【請求項１】
屋根の少なくとも一部が切妻屋根となされた木質造建物において、前記切妻屋根の少なくとも一方の妻面を含めて構成される正面視五角形の建物架構であって、
前記切妻屋根の直下階に設けられる平面視矩形の床構面と、
前記床構面の四隅に立設された側柱と、
前記側柱の上端を桁行方向に連結して互いに相対する一対の軒桁と、
前記一対の軒桁からそれぞれ前記切妻屋根の棟に向け適宜間隔で合掌形に架設された複数本の勾配梁と、
前記勾配梁の上端を連結する棟木と、
前記切妻屋根の少なくとも一方の妻面を含む棟直下位置に立設されて前記床構面上に前記棟木を支持する棟持ち柱と、
前記妻面の棟持ち柱の左右両側に適宜間隔を隔てて立設され、前記床構面上に妻面上部の勾配梁を支持する妻面副柱と、
を具備し、
前記妻面における前記棟持ち柱と前記各妻面副柱との間に、前記床構面から妻面の破風の高さまで開口する窓が設けられるとともに、
前記切妻屋根に作用する鉛直荷重を前記棟持ち柱で負担することにより、前記床構面上に、前記切妻屋根を構成する小屋組の下弦材が横断しない無梁空間が形成されたことを特徴とする建物架構。
【請求項２】
請求項１に記載された建物架構において、
前記妻面における前記側柱と妻面副柱とに挟まれた部分に補剛面材が張設されたことを特徴とする建物架構。
【請求項３】
請求項１または２に記載された建物架構において、
前記直下階の床構面は、その四周に配置された当該直下階の床梁によって支持されるとともに、
前記直下階の床構面よりも下方に、略半階分以内の高さを隔てて、下層階の床梁によって支持される下層階の床構面が設けられたことを特徴とする建物架構。
【請求項４】
請求項１、２または３に記載された建物架構において、
前記妻面上部の勾配梁と、これに隣接する勾配梁との間に補剛面材が落とし込まれて、該補剛面材が前記両勾配梁に接合されたことを特徴とする建物架構。
【発明の詳細な説明】
【技術分野】
【０００１】
本発明は、屋根の少なくとも一部が切妻屋根となされた木質造建物（またはその一部分）の、妻面を含めて構成される建物架構に関する。
【背景技術】
【０００２】
中・小規模の２階建て建物では、構造上の要請から、階層ごとに床及び天井高（階高）をそろえることが一般的である。しかし、都市部に建築される住宅等においては、敷地面積に十分な余裕がない中で居室空間や収納空間を少しでも広く確保するため、床面を半階分ずつずらしたスキップフロアとすることがある。このスキップフロアを採用すると、居室と、半階分の高さの床下収納スペースとを立体的に配置して、限られた屋内空間を有効に活用することができる。
【０００３】
また、勾配屋根の小屋裏を利用して天井高の低いロフトを設け、収納や趣味の部屋等に利用する構成もよく知られている。これらの技術思想は、例えば特許文献１〜３等に開示されている。
【先行技術文献】
【特許文献】
【０００４】
【特許文献１】特開平７−５４４０２号公報
【特許文献２】特開平７−６２９００号公報
【特許文献３】特開２００２−３６４１８９号公報
【発明の概要】
【発明が解決しようとする課題】
【０００５】
建物を建築するに際しては、都市計画法で指定される用途地域に応じて、その地域内の敷地に建てることのできる建物の面積及び高さが建築基準法等で定められている。それらの用途地域のうち、特に第一種または第二種低層住居専用地域においては、良好な住環境を維持するため、建物の高さ及び斜線に関する厳しい制限が設けられており、これによって建物の配置や屋根形状についての自由度が大きく制約される。
【０００６】
そのような敷地条件の下では、前記特許文献に開示されたようなスキップフロアを採用しようとしても、各階の天井高を十分に確保することが難しいので、屋内の快適性が得られにくい。また、小屋裏にロフトを設けても、天井の低い窮屈な空間になって、その用途が限定されてしまいがちである。
【０００７】
さらに、建物各部の高さを斜線制限に対応させるため、屋根の一部が不自然な形状になって外観の均整が崩れたり、街並みとの調和が損なわれたりすることもある。
【０００８】
本発明は、かかる事情に鑑みてなされたものであり、建物の高さや斜線に関する制限が厳しい敷地に建てられる住宅その他の建物のうち、特に木造軸組構造またはそれに準じた木質造で建てられる建物に関して、高さを抑えたコンパクトな外観の中に、立体的な拡がり感や開放感のある居室空間を実現するのに適した建物架構を提案するものである。
【課題を解決するための手段】
【０００９】
前述の目的を達成するため、本発明は、屋根の少なくとも一部が切妻屋根となされた木質造建物において、前記切妻屋根の少なくとも一方の妻面を含めて構成される正面視五角形の建物架構であって、前記切妻屋根の直下階に設けられる平面視矩形の床構面と、前記床構面の四隅に立設された側柱と、前記側柱の上端を桁行方向に連結して互いに相対する一対の軒桁と、前記一対の軒桁からそれぞれ前記切妻屋根の棟に向け適宜間隔で合掌形に架設された複数本の勾配梁と、前記勾配梁の上端を連結する棟木と、前記切妻屋根の少なくとも一方の妻面を含む棟直下位置に立設されて前記床構面上に前記棟木を支持する棟持ち柱と、前記妻面の棟持ち柱の左右両側に適宜間隔を隔てて立設され、前記床構面上に妻面上部の勾配梁を支持する妻面副柱と、を具備し、前記妻面における前記棟持ち柱と前記各妻面副柱との間に、前記床構面から妻面の破風の高さまで開口する窓が設けられるとともに、前記切妻屋根に作用する鉛直荷重を前記棟持ち柱で負担することにより、前記床構面上に、前記切妻屋根を構成する小屋組の下弦材が横断しない無梁空間が形成された、との構成を採用する。
【００１０】
この構成によれば、切妻屋根の少なくとも一方の妻面の中央部分に、切妻屋根の直下階の床面近傍から棟近傍まで延びる背の高い窓を設けることができる。この窓は、高さ方向における中間部分が小屋梁その他の構造材によって分断されない、上下方向に連続した窓となる。このような窓を妻面に設けることにより、妻面の屋内側を、格段に明るく、開放感に満ちた空間にすることができる。
【００１１】
また、棟持ち柱によって床構面上に棟木を直接、支持する構造を採用したことにより、小屋組の下弦材となる小屋梁や陸梁等を部分的に省くことが可能になる。この構造を利用して、切妻屋根の直下階の天井を、切妻屋根の勾配に沿った勾配天井とすれば、棟の高さを抑えながら実質的な天井高を確保することができて、高さ方向の拡がり感を有する快適な屋内空間が得られる。
【００１２】
さらに前述の建物架構は、前記妻面における前記側柱と妻面副柱とに挟まれた部分に補剛面材が張設されたものとすることができる。この補剛面材が張設された部分は、構造上の耐力壁として、前述の建物架構における妻面の剛性を向上させる。
【００１３】
さらに、前述の建物架構は、前記直下階の床構面が、その四周に配置された当該直下階の床梁によって支持されるとともに、前記直下階の床構面よりも下方に、略半階分以内の高さを隔てて、下層階の床梁によって支持される下層階の床構面が設けられたものとすることができる。
【００１４】
この構成は、切妻屋根の直下階の床構面と、さらにその下方に略半階分以内の高さ（目安として１．０〜１．５ｍ）を隔てて設けた下層階の床構面との二重床構造によって建物架構を支持するものである。直下階の床構面と、下層階の床構面とは、各床構面の四周を囲む床梁同士を短柱材や面材で結合するなどして、構造的に一体化される。このような二重床構造を採用することにより、それぞれの床構面の四周を囲む床梁等の部材断面寸法を抑制しながら、小屋組の下弦材を省いた正面視五角形の建物架構を安定的に支持することができる。また、このような二重床を利用してスキップフロアや床下収納を設けることにより、建物内部の空間を立体的に活用することが可能になる。
【００１５】
そして、この二重床構造を採用した建物架構においては、妻面における直下階の床構面と下層階の床構面との間の部分に、直下階から棟近傍まで延びる前述の窓と同幅の窓を設けることも可能になる。
【００１６】
さらに、前述の建物架構は、前記妻面上部の勾配梁と、これに隣接する勾配梁との間に補剛面材が落とし込まれて、該補剛面材が前記両勾配梁に接合されたものとすることができる。この補剛面材が張設された屋根面は、小屋組みの水平耐力要素として、前述の建物架構の全体的な水平剛性を強化する。また、一般的な小屋組架構において小屋底面の隅部（小屋梁と軒桁との接合部等）に配されるべき火打ち部材等を省くことも可能になる。
【発明の効果】
【００１７】
本発明の建物架構は、切妻屋根の直下階の床構面上に立設された棟持ち柱によって棟木を直接、支持する構造を採用することで、該直下階の上方に小屋梁等の下弦材が横断しない無梁空間を形成するとともに、妻面の棟持ち柱と、その両側に立設した妻面副柱との間に、棟近傍まで延びる背の高い窓を設けた空間構成を可能にする。それによって、棟の高さを抑えたコンパクトな外観の中に、明るく開放感に満ち、高さ方向の拡がり感を有する屋内空間を創出することができる。
【００１８】
このような建物架構を採用すれば、斜線や高さに関する制限が厳しい敷地においても、屋根や壁面の形状を不自然に変形することなく、均整のとれた建物外観を維持しながら、快適な居住性を得ることができる。
【図面の簡単な説明】
【００１９】
【図１】本発明の実施形態に係る建物架構を採用した住宅の配置図兼１階平面図である。
【図２】前記住宅の２階平面図である。
【図３】前記住宅の高２階及び小屋裏階の平面図である。
【図４】前記住宅の棟方向断面図である。
【図５】前記住宅の梁間方向断面図である。
【図６】前記住宅を前面道路側から見た立面図である。
【図７】前記住宅の床面構成を模式的に示す斜視図である。
【図８】三角形の小屋組架構の支持構造を模式的に示す説明図である。
【図９】前記住宅の建物架構を概略的に示す斜視図である。
【図１０】前記建物架構の妻面の立面図である。
【図１１】前記建物架構の壁面の他の構成例を示す立面図である。
【図１２】前記建物架構の勾配屋根面の構成例を示す部分斜視図である。
【発明を実施するための形態】
【００２０】
以下、本発明の実施の形態について図を参照して説明する。図１〜図７及び図９〜図１１は本発明の一実施形態に係る建物架構を採用した木造住宅を示している。
【００２１】
例示の住宅１は、都市部または都市近郊部の第一種または第二種低層住居専用地域に位置する、敷地面積１４０〜２００ｍ2 程度の略平坦な敷地に建てられることを想定したものである。図１において、敷地の図中右辺が前面道路Ｒに接しており、その他の三辺が隣地に接している。
【００２２】
この住宅１は、例えば木造軸組構法により、標準的な２階建ての高さに納まるように建てられる。図１〜図３は各階の平面的な構成を示しており、図４〜図７は建物各部の高さ方向における構成を示している。
【００２３】
この住宅１は、一つの棟１１から両側に流下する切妻屋根１２を有している。切妻屋根１２の勾配は、例えば６／１０（６寸勾配）で、片側（図６における右側）の屋根の一部が、標準的な２階の軒先の高さよりもやや下方まで葺き下ろされている。
【００２４】
図１〜図２に示すように、建物本体部分の平面形状は略Ｌ字形で、棟１１が前面道路Ｒと直交する方向に配置され、間口の狭いほうの妻面１３が前面道路Ｒに面している。前面道路Ｒ側の妻面１３の間口は約６ｍで、反対側の葺き下ろし部分を含めた妻面１４の間口は約８ｍである。図６の立面図は、前面道路Ｒ側から間口の狭いほうの妻面１３を見た外観を表している。
【００２５】
１階（１Ｆ）の床面は、敷地の地盤面から約０．５ｍの高さで、概ね同一レベルに設けられている。１階には、玄関ホール１０１、リビングルーム１０２、ダイニングルーム１０３、キッチン１０４、和室１０５、浴室１０６、洗面脱衣室１０７、トイレ１０８、物入れ１０９等が設けられている。リビングルーム１０２は、前面道路Ｒ側の妻面１３に面して配置され、ダイニングルーム１０３およびキッチン１０４と空間的に一体化されている。和室１０５とトイレ１０８との間には、２階（２Ｆ）へと通じる階段１１０が設けられている。
【００２６】
２階の床面は、１階の上方領域の一部に重なるように配置されている。２階の床面は１階の床面よりも約３．０ｍ高い位置に設けられ、２階の直下における１階の天井高は約２．５ｍとなっている。２階には、階段ホール２０１、主寝室として利用される洋室２０２、ウォークインクローゼット２０３、書斎コーナー２０４、トイレ２０５等が設けられている。１階のリビングルーム１０２の上方は、吹き抜け２０６になっている。また、１階の玄関ホール１０１の上方には２階収納室２０７が設けられている。
【００２７】
この２階は、スキップ階段２０８を通じて、さらに略半階分高い位置に設けられた高２階（Ｈ２Ｆ）へと連続している。実質的に２．５階に相当する高２階の床面は、リビングルーム１０２の上方の吹き抜け２０６と２階収納室２０７に重なるようにして、前面道路Ｒ側の妻面１３の間口一杯にわたるように配置されている。高２階の床面は、２階の床面よりも約１．３ｍ高い位置に設けられており、高２階の直下における１階の天井高は約３．８ｍとなる。
【００２８】
また、高２階の床面と２階床面とが部分的に重なり合う位置に設けられた２階収納室２０７の天井高は、約１．０ｍとなる。なお、このようにスキップフロアの床下を利用して設けられる収納室は、天井高が１．４ｍ以下で、その水平投影面積が当該階（２階）の床面積の１／２未満、かつ直下階（１階）及び直上階（高２階）の各床面積の１／２未満であれば、原則として床面積非算入となる。（自治体によって取扱いが異なる場合がある。）
【００２９】
高２階には、階段ホール３０１、洋室３０２、物入れ３０３、３０４等が設けられている。洋室３０２は、棟１１の直下部分を含んで妻面１３の間口一杯にわたるように配置され、例えば子供室として利用される。この洋室３０２と、物入れ３０３、３０４の天井は、切妻屋根１２の勾配に沿う船底形の勾配天井（拝み天井、屋形天井）となされて、切妻屋根１２の小屋裏と一体化されている。その天井の高さは、妻面１３の両端部近傍で約１．６ｍ、棟１１の直下で約３．３ｍとなる。この洋室３０２の中央部分は天井高が大きいので、この洋室３０２を子供室として利用する場合は、子供の成育状況等に応じ、中央部分に２段ベッドを置くなどして室内を適宜、間仕切ることも可能になる。
【００３０】
高２階は、棟１１の直下付近に設置されたスキップ階段３０５を通じて、さらに小屋裏階（ＬＦ）へと連続している。小屋裏階の床面は、高２階の床面よりも約１．５ｍ高い位置に設けられており、小屋裏階の直下における２階の天井高は約２．５ｍとなっている。小屋裏階には、棟１１の直下を中心として約３．０ｍの間口を有する小屋裏収納室４０１が設けられている。小屋裏収納室４０１の天井も切妻屋根１２の勾配に沿う勾配天井となされ、その天井の高さは、屋根の流れ方向の両側で約０．９ｍ、棟１１の直下で約１．８ｍである。
【００３１】
前記建物各部の地盤面からの高さとしては、図５において、１階（１Ｆ）の床面の高さが約０．５ｍ、２階（２Ｆ）の床面の高さが約３．５ｍ、高２階（Ｈ２Ｆ）の床面の高さが約４．８ｍ、軒高（小屋組を支持する軒桁１５の上面までの高さ）が約６．５ｍ、最頂部である棟１１までの高さが約８．３ｍとなる。
【００３２】
図７は、この住宅１の各階の床面の構成を模式的に示した図である。このように、棟１１の方向に沿って床面の高さを略半階ずつ変えたスキップフロアと、切妻屋根１２の勾配に沿う勾配天井とを組み合わせた空間構成を採用することにより、全体的には標準的な２階建ての高さでありながら、一方の妻面１３に沿って上下２層に重なる高天井空間（１階のリビングルーム１０２及び高２階の洋室３０２）を設けることが可能になる。これらの高天井空間は、標準的な２階建て建物に設けられる居室の１．３〜１．５倍の天井高を有する、開放感に満ちた居室となる。さらに、それら高天井空間と他の部屋とがスキップ状に連続することにより、上下方向の拡がり感が屋内全体に形成される。
【００３３】
本発明の要部は、このような空間を実現するための建物架構にある。以下、実施形態に係る住宅１の建物架構について詳述する。
【００３４】
まず、木造軸組躯体の上に断面が三角形の小屋組架構を載せる場合、通常は図８（ａ）に模式的に示すように、三角形の底辺の位置に小屋梁あるいは陸梁、つなぎ梁等と称される下弦材９１を架け渡して、三角形の両端が開くのを防ぐ。そして、その下弦材９１の上に束材９２、９３を立てて、三角形の頂点に配される棟木９４と、三角形の斜辺に架設される勾配梁９５とを支持する。しかし、このような構造を採用すると、小屋組の直下の空間の天井部分を下弦材９１が横切ることになってしまう。
【００３５】
そこで、本発明では、図８（ｂ）に示すように、切妻屋根の直下階の床構面９６の上に棟持ち柱９７を立設し、この棟持ち柱９７で棟木９４を直接、支持する構造を採用している。この棟持ち柱９７で屋根に作用する鉛直荷重（圧縮荷重及び引張荷重）を負担することにより、五角形の構面が安定的に保持されて、三角形の下弦材９１を省くことが可能になる。
【００３６】
実施形態に係る住宅１においては、図９及び図１０に示すように、切妻屋根１２の直下階となる高２階（Ｈ２Ｆ）の床構面３３と、該床構面３３の四隅に立設された側柱２３と、側柱２３の上端同士を桁行方向に連結して互いに相対する一対の軒桁１５と、両軒桁１５からそれぞれ棟１１に向けて、互いに等しい登り勾配で合掌形に架設された複数本の勾配梁２１と、勾配梁２１の上端を棟１１方向に連結する棟木（棟桁）３４とによって、正面視五角形の建物架構が形成されている。なお、この建物架構は、少なくとも建物の外周に位置する一方の妻面１３を含めて構成される限り、床構面３３の対辺側妻面は建物の他部に連続していてもよい。また、側柱２３は、１階から立設された通し柱でもよいし、高２階の床構面３３上に立設された管柱でもよい。
【００３７】
そして、高２階の床構面３３の、妻面１３側の辺の中央と、そこから棟１１に沿って約３ｍ離れた対辺の中央に立設された棟持ち柱１７とが、棟木３４の両端をそれぞれ直接支持している。例示形態では、棟持ち柱１７の下端は、高２階の床構面３３を囲む床梁２４の上に梁勝ち状態で立設されており、棟持ち柱１７の上端は、棟木３４に対して柱勝ちに接合されている。ただし、棟持ち柱１７の下端が床梁２４に対して柱勝ちに接合されていてもよく、また、棟持ち柱１７の上端が棟木３４に対して棟木勝ち（桁勝ち）に接合されていてもよい。
【００３８】
例示形態における棟持ち柱１７の長さは３．３〜３．４ｍで、断面形状は略正方形である。この棟持ち柱１７がさらに長くなる場合は、その断面形状を棟１１方向に長い長方形とすることで、耐風性能を高めることができる。なお、高２階の床構面３３の棟１１方向に沿う長さが目安として５ｍを超える場合は、その中間部にも棟持ち柱（図示せず）を追加で立設して、棟木３４の中間部を支持するのが好ましい。
【００３９】
妻面１３における棟持ち柱１７の左右両側には、適宜（例示形態では約１ｍ）の間隔を隔てて、妻面副柱１９が立設されている。この妻面副柱１９も、妻面１３の棟持ち柱１７と同様に、その下端が高２階の床構面３３を囲む床梁２４の上に梁勝ち状態で立設されており、上端は妻面１３上部の勾配梁２１に対して柱勝ちに接合されている。ただし、妻面副柱１９の下端が床梁２４に対して柱勝ちに接合されていてもよく、また、妻面副柱１９の上端が勾配梁２１に対して梁勝ちに接合されていてもよい。
【００４０】
そして、妻面１３の棟持ち柱１７と各妻面副柱１９との間に、高２階の床構面３３から妻面１３の破風の高さまで達する縦長の窓５１が設けられている。ここで「破風の高さ」とは、少なくとも軒桁１５を水平に結ぶライン（小屋組の三角形の底辺：図５参照）よりも高い位置のことである。小屋組の底辺を下弦材が横切らない構造を採用したことにより、この窓５１は、その中間部分が小屋梁その他の構造材によって分断されない、上下方向への連続性を備えた窓となる。このような背の高い窓を妻面１３の中央に設けることにより、妻面１３の屋内側には、格段に明るく、開放感に富む空間が創出される。窓５１を開閉可能な形態にすれば、通風も十分に得られる。なお、窓５１に嵌め込まれるガラス障子の枠体等によって窓５１の開口面が複数の部分に分割されることは、窓５１の全体的な連続性を損なうものではない。
【００４１】
この妻面１３における窓５１以外の部分、つまり妻面副柱１９と妻面１３の両隅部に立設された側柱２３とによって挟まれた、約２ｍ幅の壁面には、適宜の短梁２２等が結合され、さらに構造用合板等の補剛面材が張設されて、窓５１を左右から挟む耐力壁３５が形成されている。これにより妻面１３の面内剛性が向上し、切妻屋根１２を有する正面視五角形の建物架構が、より強固なものとなる。
【００４２】
さらに、例示形態の住宅１では、棟持ち柱１７及び妻面副柱１９を支持する高２階（Ｈ２Ｆ）の床構面３３が、それよりも略半階分低い下層階である２階（２Ｆ）の床構面３２の上に重なるように架設されている。そして、高２階の床構面３３を囲む床梁２４と、２階の床構面３２を囲む床梁２５とが、短柱材１８や補剛面材（図示せず）を介して一体的に結合されることにより、高２階と２階との間にも耐力壁３６が形成されている。このように、各階の床構面を支持する床梁２４、２５を上下二段に重ねた二重床構造を採用することにより、床梁２４、２５等の部材断面寸法を抑制しながら、正面視五角形の建物架構の安定性をさらに高めることができる。図１０中の網掛け部分は、妻面１３の耐力壁３５、３６となる部分を示している。なお、高２階よりも略半階分高い位置に設けられる小屋裏階（ＬＦ）の床構面は、小屋組の下弦材の高さに架設された小屋梁１６（図９参照）によって支持されている。
【００４３】
このようにして妻面１３の剛性を強化した建物架構においては、前述した妻面１３の窓５１を、２階の床面近傍まで下向きに拡張することが可能になる。すなわち、高２階の床構面３３と２階の床構面３２との間に設ける耐力壁３６を、高２階よりも上方の部分と幅を揃えるように配置すれば、高２階と２階との間の部分にも、前述の窓５１と幅を揃えて背の低い窓５２を設けることができる。この窓５１は、１階のリビングルーム１０２の開放感をさらに高める。なお、この窓５２と、高２階よりも上方の窓５１とは、高２階の床構面３３を支持する床梁２４によって構造的には分割されたものになるが、外観的には上下方向に等幅で連続する印象のものとなる。
【００４４】
図１１は、この建物架構の妻面１３に設ける窓５１、５２及び耐力壁３５、３６の他の構成例を示している。この例では、棟持ち柱１７の左右両側に、それぞれ２本ずつの妻面副柱１９が略等間隔（例示形態では０．７５ｍの間隔）で立設され、それらの間に計４か所の窓５１が形成されている。また、高２階の床構面３３と２階の床構面３２との間にも、上方の窓５１と幅を揃えて、計４か所の窓５２が形成されている。これらの窓５１、５２の開口幅は全体で約３ｍとなり、妻面１３の間口の約１／２に及ぶ。外側の妻面副柱１９と両隅部の側柱２３とによって挟まれた約１．５ｍ幅の壁面は、前述の形態と同様の耐力壁３５となされている。
【００４５】
このように、棟持ち柱１７と、妻面１３の両側部に設けた耐力壁３５とによって切妻屋根１２を支持する本発明の建物架構によれば、間口がおおむね６ｍ以内の妻面１３において、その中央に、間口の１／２程度までの幅を有する背の高い窓５１を、小屋組の下弦材が横切らない形態で設けることができる。
【００４６】
さらに、この建物架構は、図１２に示すように、勾配屋根面に補剛面材３７を取り付けることによって、風力等に対する架構全体の水平耐力を増強することができる。図示の形態では、棟１１の端部に接合された妻面１３上部の勾配梁２１とこれに隣接する妻面１３から２本目の勾配梁２１との間、妻面１３から２本目の勾配梁２１と３本目の勾配梁２１との間、及び妻面１３から４本目の勾配梁２１と５本目の勾配梁２１（無梁空間となる高２階の床構面３３の対辺上に位置する勾配梁２１）との間の計３か所に、棟１１を挟んで両流れ方向に対称となるように補剛面材３７が取り付けられている。ただし、妻面１３に沿って取り付けられる屋根端部の補剛面材３７以外の配置については、屋根面の大きさや勾配梁２１の配置間隔等に応じて適宜、設定されればよい。
【００４７】
補剛面材３７は構造用合板等からなり、相対する勾配梁２１の間に落とし込まれて、それぞれの長辺が、各勾配梁２１の側面に添設された受部材３８に接合される。場合によっては、それに加えて補剛面材３７の短辺が、棟木３４、軒桁１５等に添設された適宜の受部材等に接合されてもよい。
【００４８】
こうして屋根面に傾斜状態で固定された補剛面材３７の水平成分により架構全体の水平剛性が強化される結果、この建物架構では、通常なら小屋底面の隅部（例示形態では短梁２２と軒桁１５との接合部等）に取り付けられる火打ち部材その他の補強部材を省くことが可能になる。これにより、高２階の上方に形成される無梁空間を、一層スッキリとしたものにすることができる。
【００４９】
なお、本発明は、屋根の少なくとも一部が切妻屋根となされた建物において、該切妻屋根の棟の直下階の、少なくとも片側の妻面を含む部位の建物架構に適用されるものであり、当該部位以外の建物架構については、その構成を特に限定するものではない。切妻屋根の「直下階」に相当する階層は、実質的に１階でもよいし、３階以上の階層であってもよい。また、本発明は、妻面の形状が棟を挟んで左右対称になる建物架構だけでなく、妻面が多少、非対称の形状になる建物架構にも適用可能である。さらに、本発明は、木造軸組構造からなる建物架構だけでなく、これに準じたパネル構造、ツーバイフォー構造、あるいはそれらの複合構造等からなる様々な木質造の建物架構に適用可能であり、構成部材の詳細な形状や接合形態も、本発明の主旨を逸脱しない範囲で適宜改変可能である。また、建物各部の用途や間取りも、特に例示形態に限定されるものではない。
【符号の説明】
【００５０】
１  住宅
１１  棟
１２  切妻屋根
１３  妻面
１５  軒桁
１６  小屋梁
１７  棟持ち柱
１８  短柱材
１９  妻面副柱
２１  勾配梁
２３  側柱
２４  床梁
３２  ２階の床構面
３３  高２階の床構面
３４  棟木
５１  窓
５２  窓
【図１】
2017106220.tif 000003
【図２】
2017106220.tif 000004
【図３】
2017106220.tif 000005
【図４】
2017106220.tif 000006
【図５】
2017106220.tif 000007
【図６】
2017106220.tif 000008
【図７】
2017106220.tif 000009
【図８】
2017106220.tif 000010
【図９】
2017106220.tif 000011
【図１０】
2017106220.tif 000012
【図１１】
2017106220.tif 000013
【図１２】
2017106220.tif 000014
【手続補正書】
【提出日】平成29年4月19日(2017.4.19)
【手続補正１】
【補正対象書類名】特許請求の範囲
【補正対象項目名】全文
【補正方法】変更
【補正の内容】
【特許請求の範囲】
【請求項１】
屋根の少なくとも一部が切妻屋根となされた木質造建物において、前記切妻屋根の少なくとも一方の妻面を含めて構成される正面視五角形の建物架構であって、
前記切妻屋根の直下階に設けられる平面視矩形の床構面と、
前記床構面の四隅に立設された側柱と、
前記側柱の上端を桁行方向に連結して互いに相対する一対の軒桁と、
前記一対の軒桁からそれぞれ前記切妻屋根の棟に向け適宜間隔で合掌形に架設された複数本の勾配梁と、
前記勾配梁の上端を連結する棟木と、
前記切妻屋根の少なくとも一方の妻面を含む棟直下位置に立設されて前記床構面上に前記棟木を直接、支持する棟持ち柱と、
前記妻面の棟持ち柱の左右両側に適宜間隔を隔てて立設され、前記床構面上に妻面上部の勾配梁を支持する妻面副柱と、
を具備し、
前記妻面における前記棟持ち柱と前記各妻面副柱との間に、前記床構面から妻面の破風の高さまで上下方向への連続性を備えて開口する窓が設けられるとともに、
前記切妻屋根に作用する鉛直荷重を前記棟持ち柱で負担することにより、前記床構面上に、前記切妻屋根を構成する小屋組の下弦材が横断しない無梁空間が形成されたことを特徴とする建物架構。
【請求項２】
請求項１に記載された建物架構において、
前記妻面における前記側柱と妻面副柱とに挟まれた部分に補剛面材が張設されたことを特徴とする建物架構。
【請求項３】
請求項１または２に記載された建物架構において、
前記直下階の床構面は、その四周に配置された当該直下階の床梁によって支持されるとともに、
前記直下階の床構面よりも下方に、略半階分以内の高さを隔てて、下層階の床梁によって支持される下層階の床構面が設けられたことを特徴とする建物架構。
【請求項４】
請求項１、２または３に記載された建物架構において、
前記妻面上部の勾配梁と、これに隣接する勾配梁との間に補剛面材が落とし込まれて、該補剛面材が前記両勾配梁に接合されたことを特徴とする建物架構。
【手続補正２】
【補正対象書類名】明細書
【補正対象項目名】０００９
【補正方法】変更
【補正の内容】
【０００９】
前述の目的を達成するため、本発明は、屋根の少なくとも一部が切妻屋根となされた木質造建物において、前記切妻屋根の少なくとも一方の妻面を含めて構成される正面視五角形の建物架構であって、前記切妻屋根の直下階に設けられる平面視矩形の床構面と、前記床構面の四隅に立設された側柱と、前記側柱の上端を桁行方向に連結して互いに相対する一対の軒桁と、前記一対の軒桁からそれぞれ前記切妻屋根の棟に向け適宜間隔で合掌形に架設された複数本の勾配梁と、前記勾配梁の上端を連結する棟木と、前記切妻屋根の少なくとも一方の妻面を含む棟直下位置に立設されて前記床構面上に前記棟木を直接、支持する棟持ち柱と、前記妻面の棟持ち柱の左右両側に適宜間隔を隔てて立設され、前記床構面上に妻面上部の勾配梁を支持する妻面副柱と、を具備し、前記妻面における前記棟持ち柱と前記各妻面副柱との間に、前記床構面から妻面の破風の高さまで上下方向への連続性を備えて開口する窓が設けられるとともに、前記切妻屋根に作用する鉛直荷重を前記棟持ち柱で負担することにより、前記床構面上に、前記切妻屋根を構成する小屋組の下弦材が横断しない無梁空間が形成された、との構成を採用する。